【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
非可変圧縮グループサイズ内である複数のブロックと前記非可変圧縮グループサイズ内ではないブロックとを有するデータコンテナを複製するための、機械で実施される方法であり、以下のステップを含む該方法:
前記非可変圧縮グループサイズを用いて圧縮された複数の圧縮ブロックを、プロセッサが決定するステップ; 
前記非可変圧縮グループサイズを用いて前記複数の圧縮されたブロックを、前記プロセッサが複製するステップ;
前記非可変圧縮グループサイズ内ではない前記データコンテナの複数のブロックを、前記プロセッサが解凍するステップ;及び
前記複数の圧縮されたブロックと前記非可変圧縮グループサイズ内ではない前記複数のブロックとを、部分的に複製された一部の前記データコンテナとして、前記プロセッサが記憶するステップ。
【請求項２】
請求項１に記載の方法であって、前記複製された複数の圧縮されたブロックとともに記憶される前に、解凍された前記複数のブロックが圧縮される該方法。
【請求項３】
請求項１に記載の方法であって、プロセッサが実行可能なストレージ・オペレーティングシステムによって、前記データコンテナが階層構造で記憶される該方法。
【請求項４】
請求項３に記載の方法であって、
前記階層構造は、前記データコンテナを同定する第一データ構造と、前記第一データ構造に関連する第二データ構造とを含み、
前記第二データ構造は、第三データ構造に対するアドレス・ポインタを記憶し、
前記第三データ構造は、ストレージ・デバイスの物理的記憶スペースに関連するブロック番号を記憶する該方法。
【請求項５】
請求項１に記載の方法であって、前記非可変圧縮グループサイズが少なくとも８つのブロックである該方法。
【請求項６】
データコンテナを複製するための機械で実施される方法であって、以下のステップを含む該方法：
ソース・データコンテナの一部についての複製コピーを生成するために、前記ソース・データコンテナを、プロセッサがスキャンするステップであり、前記ソース・データコンテナの前記一部が、非可変圧縮グループサイズを用いて圧縮された複数のブロックと、前記非可変圧縮グループサイズ内ではない少なくとも１つのブロックとを含む該ステップ;
前記ソース・データコンテナから前記少なくとも１つのブロックを、前記プロセッサが読み出すステップ;及び
前記少なくとも１つのブロックと、前記非可変圧縮グループサイズを用いて圧縮された前記複数のブロックとを有する前記ソース・データコンテナの一部の前記複製コピーを、前記プロセッサが生成するステップ。
【請求項７】
請求項６に記載の方法であって、前記複製された複数の圧縮されたブロックとともに記憶される前に、解凍された前記複数のブロックが圧縮される該方法。
【請求項８】
請求項６に記載の方法であって、プロセッサが実行可能なストレージ・オペレーティングシステムによって、前記ソース・データコンテナが階層構造で記憶される該方法。
【請求項９】
請求項８に記載の方法であって、
前記階層構造は、前記ソース・データコンテナを同定する第一データ構造と、前記第一データ構造に関連する第二データ構造とを含み、
前記第二データ構造は、第三データ構造に対するアドレス・ポインタを記憶し、
前記第三データ構造は、ストレージ・デバイスの物理的記憶スペースに関連するブロック番号を記憶する該方法。
【請求項１０】
請求項６に記載の方法であって、前記非可変圧縮グループサイズは少なくとも８つのブロックである該方法。
【請求項１１】
システムであって、
前記システムは、第一のコンピューティング・システムを含み、
前記第一のコンピューティング・システムは、ストレージ・システムとのインターフェースとなり、
前記ストレージ・システムは、複数のデータコンテナをストレージ・デバイスで管理するための指示を実行するハードウェア・プロセッサを含み；
前記プロセッサは、ソース・データコンテナの一部の複製コピーを生成するために、前記ソース・データコンテナをスキャンし、
前記一部の前記ソース・データコンテナは、非可変圧縮グループサイズを用いて圧縮された複数のブロックと、前記非可変圧縮グループサイズ内ではない少なくとも１つのブロックとを含み、
前記プロセッサは、前記ソース・データコンテナから前記少なくとも１つのブロックを読み出し、及び、
前記プロセッサは、前記少なくとも１つのブロックと、前記非可変圧縮グループサイズを用いて圧縮された前記複数のブロックとを有する前記データコンテナの一部の前記複製コピーを生成する、該システム。
【請求項１２】
請求項１１に記載のシステムであって、前記複製された複数の圧縮されたブロックとともに記憶される前に、解凍された前記複数のブロックが圧縮される、該システム。
【請求項１３】
請求項１１に記載のシステムであって、プロセッサが実行可能なストレージ・オペレーティングシステムによって、前記ソース・データコンテナが階層構造で記憶される、該システム。
【請求項１４】
請求項１３に記載のシステムであって、
前記階層構造は、前記ソース・データコンテナを同定する第一データ構造と、前記第一データ構造に関連する第二データ構造とを含み、
前記第二データ構造は、第三データ構造に対するアドレス・ポインタを記憶し、
前記第三データ構造は、ストレージ・デバイスの物理的記憶スペースに関連するブロック番号を記憶する、該システム。
【請求項１５】
請求項１３に記載のシステムであって、前記非可変圧縮グループサイズが少なくとも８つのブロックである、該システム。
【請求項１６】
コンピュータが使用可能な記憶媒体であって、
前記媒体は、該媒体内で具現化されるコンピュータが読み取り可能な指示を含み、
前記コンピュータが読み取り可能な指示は、非可変圧縮グループサイズ内である複数のブロックと前記非可変圧縮グループサイズ内ではないブロックとを有するデータコンテナを複製するためのものであり、 
前記コンピュータが読み取り可能な指示は、以下を含む該媒体：
データコンテナの一部を複製するために前記非可変圧縮グループサイズを用いて圧縮された複数の圧縮ブロックを決定するための指示；
前記非可変圧縮グループサイズを用いて前記複数の圧縮されたブロックを複製するための指示;
前記非可変圧縮グループサイズ内ではない前記データコンテナの複数のブロックを解凍するための指示;及び
前記複数の圧縮されたブロックと前記非可変圧縮グループサイズ内ではない前記複数のブロックとを、部分的に複製された一部の前記データコンテナとして記憶するための指示。
【請求項１７】
請求項１６に記載のコンピュータが使用可能な記憶媒体であって、前記複製された複数の圧縮されたブロックとともに記憶される前に、解凍された前記複数のブロックが圧縮される該媒体。
【請求項１８】
請求項１６に記載のコンピュータが使用可能な記憶媒体であって、プロセッサが実行可能なストレージ・オペレーティングシステムによって、前記データコンテナが階層構造で記憶される該媒体。
【請求項１９】
請求項１８に記載のコンピュータが使用可能な記憶媒体であって、
前記階層構造は、前記データコンテナを同定する第一データ構造と、前記第一データ構造に関連する第二データ構造とを含み、
前記第二データ構造は、第三データ構造に対するアドレス・ポインタを記憶し、
前記第三データ構造は、ストレージ・デバイスの物理的記憶スペースに関連するブロック番号を記憶する該媒体。
【請求項２０】
請求項１６に記載のコンピュータが使用可能な記憶媒体であって、前記非可変圧縮グループサイズが少なくとも８つのブロックである該媒体。